【事件の表示】
　特願２００７−５３２２７３「指紋検出及びその他の測定用の装置」拒絶査定不服審判事件〔平成１８年　３月３０日国際公開、ＷＯ２００６／０３３５８２、平成２０年　５月　１日国内公表、特表２００８−５１３０９６〕について、次のとおり審決する。
【結　論】
　本件審判の請求は、成り立たない。
【理　由】
第１　手続の経緯　
　本願は，平成１７年９月２２日（パリ条約による優先権主張２００４年９月２２日，米国（ＵＳ））を国際出願日とする出願であって，平成２３年５月９日付けで拒絶理由が通知され，同年１１月１６日に意見書の提出及び手続補正がなされ，平成２４年１月２３日付けで拒絶理由が通知され，同年７月２７日に意見書の提出及び手続補正がなされ，平成２５年１月１６日付けで拒絶査定がなされ，同年５月２０日に拒絶査定不服審判の請求がなされ，同時に手続補正がなされたものである。
　さらに，当審で平成２６年８月１９日付けで拒絶理由を通知し，平成２７年２月２０日付けで意見書が提出されるとともに，手続補正がなされたものである。
　
第２　本願発明
　本願の請求項１に係る発明は，平成２７年２月２０日付け手続補正書により補正された特許請求の範囲の請求項１に記載された次のとおりのものと認める。（以下「本願発明」という。）（下線は当審により付与した。）
「【請求項１】
　指紋パターンを測定するための装置であって，
　皮膚の物理パラメータに応答する複数のセンサ素子（４，７１）を含むセンサと，
　前記複数のセンサ素子（４，７１）に結合され，前記パターンに関する区分化された画像全体を確立するための手段（１６）と
　を備えた装置において，前記指紋が前記センサに接触している間，前記センサ素子は印加電流で加熱されることにより活性化され，熱活性化の間，前記センサ素子から前記皮膚への熱損失によるセンサ素子における温度変化を検出するように構成され，前記画像全体を確立するための手段は，前記温度変化に基づいて，指紋画像を生成するように構成され，前記熱活性化により比較的大きな温度変化を有するセンサ素子により指紋の谷がマップされ，
　各センサ素子（４，７１）は，
　　
一つの行線（２）と一つの列線（３）との間に直列に接続され，前記センサ素子（４）
（４）
，ｎはダイオードの数
　　前記センサ素子
（７１）
及び
少なくとも一つの抵抗器（７３）であって，一つの行線（２）と一つの列線（３）との間に直列に接続され，前
（７１）
前記少なくとも一つのダイオード（７５）及び前記
　のうちのいずれかと機能的に関連付けら
れて
　
第３　引用刊行物およびその記載事項
（１）本願の優先権主張の日前に頒布された刊行物である特開２００３−１６４４３７号公報（以下，「引用刊行物１」という。）には，「指紋センサ，指紋画像検出方法およびその方法をコンピュータに実行させるプログラム」について図面とともに次の事項が記載されている。（下線は当審により付与した。）　
（１ーア）
「【０００１】
【発明の属する技術分野】この発明は，指を載置する検出面の下部に複数の温度センサおよびヒーターを配設し，各ヒーターに電圧パルスを印加して発生した熱が指紋の谷部と山部に伝熱する伝熱特性の差に基づいて
指紋画像を検出する指紋センサ
　
（１ーイ）
「【００２２】
【発明の実施の形態】以下に添付図面を参照して，この発明に係る指紋センサ，指紋画像検出方法およびプログラムの好適な実施の形態を詳細に説明する。なお，本実施の形態１では，同一の抵抗素子でヒーターと温度センサを兼用する１層式の指紋センサを用いた場合について説明し，実施の形態２では，ヒーターと温度センサの抵抗素子を異なるものとする２層式の指紋センサを用いた場合について説明することとする。
【００２３】（実施の形態１）まず，本実施の形態１で用いる１層式の指紋センサについて説明する。図１は，本実施の形態１に係る
指紋センサ
指紋センサ１は，指紋画像を検出する指紋検出部１０と，信号処理をおこなう信号処理部２０とからなる。
指紋検出部１０の検出面の下部にヒーターと温度センサを兼用する複数の抵抗素子をマトリックス状に作り込み，ラインごとに順次加熱して，その直後の温度上昇を複数の抵抗素子すなわち温度センサで検出して指紋画像を得るようにしたものである。
【００２４】次に，図１に示した指紋センサ１の構造についてさらに具体的に説明する。図２は，図１に示した指紋検出部１０の断面構造を示す図である。図２に示すように，この指紋センサ１は，基板１００上に抵抗素子１１１を配設し，この抵抗素子１１１と接するように配線を設け，その上部を絶縁膜１１２で覆うことにより基板１００上にヒーター兼センサ層１１０を配設することになる。ここでは説明の便宜上，図２に示す基板１００上に４つの抵抗素子１１１のみを設けた場合を示したが，実際にはこの基板１００上にたとえば２５６×２５６個（合計６５５３６個）の抵抗素子１１１をマトリクス状に形成することになる。」
　
（１ーウ）
「【００３１】
ヒーター／センサ回路４１は，ヒーターおよび温度センサの役割を果たす抵抗素子１１１をたとえば２５６×２５６個マトリックス状に配置し，各抵抗素子１１１を水平方向（行）および垂直方向（列）にそれぞれ配設した２５６本の配線１１３で接続したものである。
【００３２】検知回路４２は，マトリックス状に配置した各抵抗素子１１１から温度に係るデータを受け取って温度を検知する回路である。具体的には，各抵抗素子１１１をつなぐ水平方向および垂直方向の配線１１３を介して温度に係るデータを受け取る。なお，図中に示すＩＶアンプおよび作動アンプなどの回路は，温度信号を変換，増幅，ラッチする回路部分である。
【００３３】そして，
加熱および温度検出は，信号処理部２０によっていずれかの行を選択し，この選択した行の抵抗素子１１１に所定の定電圧パルスを印加することでおこなう。
【００３４】ここで，この
信号処理部２０では，
行間隔をあけながら各行に順次電圧パルスを印加している
　
（１ーエ）
「【００３７】また，図３に示すように，
ヒーター／センサ回路４１の列配線１１３と検知回路４２のＩＶアンプは，それぞれ数列ごとにスイッチＳＷにより切り替え接続される。
各抵抗素子１１１には，ダイオードが設けられる。
端子が解放された列に電流が流れ込まないようにするためである。
【００３８】次に，上記抵抗素子１１１に電圧パルスを印加してヒーターとして加熱するタイミングとこの抵抗素子１１１により温度を検出するタイミングとの関係について説明する。図４は，図３に示した抵抗素子１１１に電圧パルスを印加してヒーターとして加熱するタイミングとこの抵抗素子１１１により温度を検出するタイミングとの関係を説明するための説明図である。
【００３９】同図（ａ）に示すように，指が検出面１１に載置された後，指紋を検出する為の電圧を印加した時刻ｔｓから所定時間後の時刻ｔｅに電圧の印加を終了すると，同図（ｂ）に示すように，時刻ｔｓから抵抗素子１１１の周囲の温度が上昇を開始し，時刻ｔｅから抵抗素子１１１の周囲の温度が低下する。ここで，
指紋の谷部と山部の温度上昇特性
の違いを利用して指紋の山部と谷部を検出する
【００４０】具体的には，検知回路４２のＩＶアンプの出力である検出電流は同図（ｃ）のようになるので，抵抗素子に電圧を印加したと同時（時刻ｔｓ）または電圧を印加した直後（時刻ｔｓ＋α；ただしαは定数）の温度が上がっていない状態での電流値をホールドする。また，同図（ｄ）に示すように，時刻ｔｓ＋β後（時刻ｔｅ）の差動信号すなわち温度変動を検出し，ΔＶ（山部）とΔＶ（谷部）の電圧差を利用して指紋の山部と谷部を検出する。具体的には，時刻ｔｓまたはｔｓ＋α時点での温度に対応する電流値と，電圧パルスの立ち下がり時点である時刻ｔｅでの電流値との差動信号を検出し，この検出値に基づいて指紋の山部と谷部を検出する。この際，電圧パルスの印加時間を固定すれば，時刻ｔｅは時刻ｔｓまたはｔｓ＋αから所定時間後になるので，電圧パルスの立ち下がりを意識しなくとも温度の検出タイミングを容易に把握することができる。」
　
（１ーオ）
「【００４３】次に，図１に示した指紋センサを用いた指紋照合装置について説明する。図５は，図１に示した指紋センサを用いた指紋照合装置の構成を示す機能ブロック図である。
【００４４】同図に示すように，この指紋照合装置は，指紋センサ１（指紋検出部１０および信号処理部２０）と，指紋照合部３０とからなる。
信号処理部２０は，指紋検出部１０によって検出された温度信号に基づいて指紋画像を生成する
　
（１−カ）
　図３には，抵抗素子１１１が，水平方向と垂直方向の配線１１３の間に接続されている構成が記載されている。
　上記（１ーア）〜（１ーオ）の記載と（１−カ）を参照すると，上記引用刊行物１には，
「指紋画像を検出する指紋検出部１０と，指紋検出部１０によって検出された温度信号に基づいて指紋画像を生成する信号処理部２０とからなる
指紋センサ１であって，
指紋検出部１０は検出面の下部にヒーターと温度センサを兼用する，端子が解放された列に電流が流れ込まないようにするダイオードが設けられた抵抗素子１１１を，マトリックス状に配置し，各ダイオードが設けられた抵抗素子１１１が水平方向（行）および垂直方向（列）の配線１１３の間に接続されてマトリックス状に作り込んだものにおいて，ＩＶアンプをそれぞれ数列ごとにスイッチＳＷにより垂直方向の配線１１３に切り換え接続した状態で，水平方向（行）の配線に，行間隔を空けながら各行に順次所定の電圧パルスを前記ダイオードが設けられた抵抗素子１１１に選択的に印加することにより加熱して，その直後の温度上昇を検出し，信号処理部２０は指紋の谷部と山部の温度上昇特性の違いを利用して指紋の山部と谷部を検出して指紋画像を得るようにした指紋センサ１。」の発明が記載されているものと認める（以下，「引用発明」という。）。
　
第４　対比・判断 
　本願発明と引用発明とを対比する。
ア　引用発明の「指紋画像」は，本願発明の「指紋パターン」に相当する。そうすると引用発明の「指紋センサ１」は，「指紋画像」を得るものであるから，本願発明の「指紋パターンを測定するための装置」に相当する。
　
イ　引用発明の「指紋の谷部と山部の温度」，「ダイオードが設けられた抵抗素子１１１」は，それぞれ，本願発明の「皮膚の物理パラメータ」，「センサ素子」に相当する。そして，引用発明のダイオードが設けられた抵抗素子１１１は，「指紋検出部１０」にマトリックス状に作り込まれているのであるから，複数あることは自明である。
　したがって，引用発明の「ダイオードが設けられた抵抗素子を，マトリックス状に作り込」んだものが，本願発明の「皮膚の物理パラメータに応答する複数のセンサ素子」に相当するので，引用発明の「検出面の下部にヒーターと温度センサを兼用する，ダイオードが設けられた抵抗素子１１１を，マトリックス状に作り込んだ」「指紋検出部１０」と，本願発明の「皮膚の物理パラメータに応答する複数のセンサ素子（４，７１）を含むセンサ」とは，「皮膚の物理パラメータに応答する複数のセンサ素子を含むセンサ」の点で共通する。
　
ウ　引用発明の「指紋画像」が，本願発明の「指紋」「パターンに関する」「画像全体」に相当することは自明であり，引用発明の「指紋検出部１０」と「信号処理部２０」が結合していることも自明であるから，
引用発明の「指紋検出部１０によって検出された温度信号に基づいて指紋画像を生成する信号処理部２０」と，
本願発明の「前記複数のセンサ素子（４，７１）に結合され，前記パターンに関する区分化された画像全体を確立するための手段（１６）」とは，
「前記複数のセンサ素子に結合され，前記パターンに関する」「画像全体を確立するための手段」である点で共通する。
　
エ　引用発明の「指紋検出部１０」は「順次所定の電圧パルスを前記ダイオードが設けられた抵抗素子１１１に選択的に印加することにより加熱して，その直後の温度上昇を検出し」，「温度上昇特性の違いを利用して指紋の山部と谷部を検出して指紋画像を得る」ものであるが，その「温度上昇特性の違い」は皮膚への熱損失の違いによるものであり，その熱損失の違いにより指紋画像を得るのであるから，指紋が前記センサに接触している間の温度上昇を検出するものであることは自明である。また，引用発明においては，定電圧パルスを印加することにより，ダイオードが設けられた抵抗素子に電流が印加される。
　よって，引用発明の，「順次所定の電圧パルスを前記ダイオードが設けられた抵抗素子１１１に選択的に印加することにより加熱して，その直後の温度上昇を検出」することは，本願発明の「指紋が前記センサに接触している間，前記センサ素子は印加電流で加熱されることにより活性化され，熱活性化の間，前記センサ素子から前記皮膚への熱損失によるセンサ素子における温度変化を検出するように構成され」ていることに相当する。
　
オ　引用発明の「指紋の谷部」が，本願発明の「指紋の谷」に相当することは明らかである。
　そうすると，引用発明の「信号処理部２０は指紋の谷部と山部の温度上昇特性の違いを利用して指紋の山部と谷部を検出して指紋画像を得る」ことと，本願発明の「前記画像全体を確立するための手段は，前記温度変化に基づいて，指紋画像を生成するように構成され，前記熱活性化により比較的大きな温度変化を有するセンサ素子により指紋の谷がマップされ」ることは，「前記画像全体を確立するための手段は，前記温度変化に基づいて，指紋画像を生成するように構成され，前記熱活性化により温度変化を有するセンサ素子により指紋がマップされ」ることで共通する。
　
カ　引用発明の「マトリックス状に作り込」まれる「ダイオードが設けられた抵抗素子１１１」のダイオードは，「水平方向（行）および垂直方向（列）の配線１１３の間に接続」され「端子が解放された列に電流が流れ込まないようにする」ものであるから，ダイオードと抵抗素子１１１が直列に接続されていることは自明であり，ダイオードは，回路の中で抵抗素子１１１を選択しているといえる。
　そして引用発明の「ダイオードが設けられた抵抗素子１１１」は，「加熱して，その直後の温度上昇を検出」するのであるが，「ダイオード」それ自体が抵抗を持つのであるから，引用発明の「抵抗素子１１１」に加えて，引用発明の「ダイオード」も，本願発明の「センサ素子の選択及び熱活性化，及び物理パラメータ検出の機能」を少なからず有しているといえる。
　そうすると，引用発明の「マトリックス状に作り込」まれる「ヒーターと温度センサを兼用する，端子が解放された列に電流が流れ込まないようにするダイオードが設けられた抵抗素子１１１」であって「マトリックス状に配置し，各ダイオードが設けられた抵抗素子１１１が水平方向（行）および垂直方向（列）の配線１１３の間に接続され」たものは，本願発明の「前記センサ素子（７１）を選択的に選択する少なくとも一つのダイオード（７５），
及び少なくとも一つの抵抗器（７３）であって，一つの行線（２）と一つの列線（３）との間に直列に接続され，前記センサ素子（７１）を熱活性化し，前記物理パラメータを検出する前記少なくとも一つのダイオード（７５）及び前記少なくとも一つの抵抗器（７３）と機能的に関連付けられている」「各センサ素子」に相当する。
　
　そうすると，本願発明と引用発明とは，
　「指紋パターンを測定するための装置であって，
　皮膚の物理パラメータに応答する複数のセンサ素子を含むセンサと，
　前記複数のセンサ素子に結合され，前記パターンに関する画像全体を確立するための手段と
　を備えた装置において，前記指紋が前記センサに接触している間，前記センサ素子は印加電流で加熱されることにより活性化され，熱活性化の間，前記センサ素子から前記皮膚への熱損失によるセンサ素子における温度変化を検出するように構成され，前記画像全体を確立するための手段は，前記温度変化に基づいて，指紋画像を生成するように構成され，前記熱活性化により温度変化を有するセンサ素子により指紋がマップされ，
　各センサ素子は，
　　前記センサ素子を選択的に選択する少なくとも一つのダイオード，及び少なくとも一つの抵抗器であって，一つの行線と一つの列線との間に直列に接続され，前記センサ素子を熱活性化し，前記物理パラメータを検出する前記少なくとも一つのダイオード及び前記少なくとも一つの抵抗器と機能的に関連付けられている装置。」で一致し，次の点で相違している。
　
（相違点１）
　指紋パターンに関する画像全体を確立するための手段について，本願発明では，「区分化された画像」を作成しながら画像全体を確立するのに対して，引用発明では，単に指紋画像を得る点。
　
（相違点２）
　温度変化を有するセンサ素子により指紋がマップされることについて，本願発明では，「比較的大きな温度変化を有するセンサ素子により指紋の谷」がマップされるのに対して，引用発明では，「指紋の谷部と山部の温度上昇特性の違いを利用して指紋の山部と谷部を検出して指紋画像を得る」ものである点。
　
（１）相違点１についての検討
　引用発明は，「ＩＶアンプをそれぞれ数列ごとにスイッチＳＷにより垂直方向の配線１１３に切り換え接続した状態で，水平方向（行）の配線に，行間隔を空けながら各行に順次所定の電圧パルスを前記ダイオードが設けられた抵抗素子１１１に選択的に印加」して「指紋画像を得る」ものである。
　そうすると，引用発明の指紋画像は「数列」ごとに区切られた各センサ領域ごとに，まずＩＶアンプを一つの列に切り換え接続した状態で，水平方向（行）の配線に，行間隔を空けながら各行に順次所定の電圧パルスを前記ダイオードが設けられた抵抗素子１１１に選択的に印加して，その列の指紋画像が取得され，その後ＩＶアンプを「数列」内の残りの列の一つに切り換え接続し，同様にその列の指紋画像が取得されることを「数列」全てについて行って，指紋の「数列」に対応する画像が取得されることを，「数列」ごとに区切られた各センサ領域で並列に行うので，指紋画像は，「数列ごとの画像」の集合として取得されているといえる。
　引用発明の内在する，この「数列ごとに画像」は，指紋画像を分割したものに相当するので，本願発明の「区分化された画像」に相当する。
　そうすると，引用発明も「区分化された画像」を作成しながら画像全体を確立するものであるといえる。　
　そうでないとしても，撮影装置において，撮影を高速化することは当業者が常に念頭におく技術課題であり，その解決手段として，１つ画像を複数の部分に分けて（区分化に相当する）並列撮影することにより撮影を高速化することは周知技術である。
　そうすると，引用発明も撮影装置であるから，引用発明の信号処理部２０において，上記周知技術を採用して相違点１に記載の本願発明の構成とすることは当業者が容易に想到するものといえる。
　
　（２）相違点２についての検討
　引用発明において，「指紋の山部」は，センサに接触するので，センサと接触しない指紋の谷部に比べて，センサから熱を多く奪うから，指紋の谷部に対応するセンサ素子が，指紋の山部に対応するセンサ素子に比べて比較的大きな温度上昇を示すことは自明である。
　そうすると，引用発明の指紋画像においても，指紋の谷部が比較的大きな温度変化を有するセンサ素子によりマッピングされることは明らかである。
　そうでないとしても，引用発明は「山部と谷部からなる指紋」を検出するために，「指紋の谷部と山部の温度上昇特性の違いを利用して指紋の山部と谷部を検出して指紋画像を得る」のであるから，「指紋の谷」を比較的大きな温度変化を有するセンサ素子によりマップするようにすることは当業者が容易に想到し得るものというべきである。
　
（３）そして，本願発明の効果も，引用発明及び周知技術から，当業者が予測し得る範囲のものであり，格別顕著なものといえない。　　
　
（４）したがって，本願発明は，引用発明及び周知技術に基づいて当業者が容易に発明をすることができたものであるから，特許法第２９条第２項の規定により，特許を受けることができないものである。　　
（５） 請求人は，平成２７年２月２０日提出の意見書の「３−２）　本願発明と引用文献との対比」において，「引用文献１には，「そして，加熱および温度検出は，信号処理部２０によっていずれかの行を選択し，この選択した行の抵抗素子１１１に所定の定電圧パルスを印加することでおこなう。また，この選択する行を順次切り替え走査してゆくことで，すべての抵抗素子１１１について同様の加熱，温度検出をおこなうことができる」と記載されている［００３３］）。従って，引用文献１では，一つの行に接続された全ての抵抗素子１１１が一度に選択され，加熱および温度検出を行う行単位の選択が開示されている。これに対し，本願発明では，一つの行線と一つの列線との間に直列に接続された少なくとも一つのダイオードにより一つのセンサ素子を一度に選択する一素子単位の選択を特徴としている。従って，本願発明は，一素子単位の選択により行単位で選択を行う引用文献１と比較して消費電力が少ない点で引用文献１に記載の発明よりは有利である。従って，このような優位点をもたらす本願発明の特徴的な構成である「一つの行線（２）と一つの列線（３）との間に直列に接続され，前記センサ素子（４）を選択的に選択し，前記センサ素子（４）を熱活性化し，前記物理パラメータを検出する少なくとも一つのダイオード（Ｄ１−Ｄｎ，ｎはダイオードの数）か，または前記センサ素子（７１）を選択的に選択する少なくとも一つのダイオード（７５），及び少なくとも一つの抵抗器（７３）であって，一つの行線（２）と一つの列線（３）との間に直列に接続され，前記センサ素子（７１）を熱活性化し，前記物理パラメータを検出する前記少なくとも一つのダイオード（７５）及び前記少なくとも一つの抵抗器（７３）」は引用文献１には開示されていない。」と主張する。
　引用発明は，上記「第３　引用刊行物およびその記載事項」に記載したとおりのものであり，「ダイオードが設けられた抵抗素子１１１を，マトリックス状に配置し，各ダイオードが設けられた抵抗素子１１１が水平方向（行）および垂直方向（列）の配線１１３の間に接続されてマトリックス状に作り込んだ」構成（以下，「マトリックス回路」という。）を備えており，この構成は本願発明のものと相違しない。
　そして，請求人の主張する「本願発明は，一素子単位の選択により行単位で選択を行う引用文献１と比較して消費電力が少ない点で引用文献１に記載の発明よりは有利である」との主張の「一素子単位の選択」，「行単位で選択」とは，上記マトリックス回路の各ダイオードが設けられた抵抗素子１１１をどのように選択駆動するかという駆動の仕方の違いであるが，本願発明は，ダイオードと抵抗器と行線と列線との配線については特定しているが，ダイオードと抵抗器をどのように選択駆動するかという駆動の仕方については特定していない。
　さらに，請求人の「引用文献１では，一つの行に接続された全ての抵抗素子１１１が一度に選択され，加熱および温度検出を行う行単位の選択が開示されている。」との主張は，「第３（１ーエ）」に「【００３７】また，図３に示すように，
ヒーター／センサ回路４１の列配線１１３と検知回路４２のＩＶアンプは，それぞれ数列ごとにスイッチＳＷにより切り替え接続される。
　したがって，請求人の上記主張は採用できない。
　
第５　まとめ　　
　以上のとおり，本願発明は，特許法第２９条第２項の規定により特許を受けることができないから，その他の請求項について言及するまでもなく，本願は拒絶されるべきものである。　　
　よって，結論のとおり審決する。